(57)【要約】      （修正有）【課題】テレコンバータ、ワイドコンバータ等のコンバージョンレンズを、画質を低下させることなく良好に使用することができるカメラハウジングを提供する。【解決手段】カメラハウジング１０の窓ガラス２２の内側に、レンズの画角に対応して開口部の大きさを変更可能なマスク部材３８を配置する。撮影レンズ２８のみ使用した通常使用形態から、撮影レンズ２８にテレコンバータ３４を装着したテレ使用形態に変更すると、マスク部材３８の開口部を開口部３９から開口部３９Ａに小さくする必要があるため、ネジをガイドとしてマスク板を４５度方向に互いに近づく方向に移動させ、開口部３９から開口部３９Ａに変更する。この後、ネジを前面板に締結し、ネジのヘッドによってマスク板を前面板に押圧し固定する。【選択図】図３
2009036973.tif 000002
【特許請求の範囲】
【請求項１】
カメラが収納されるとともに、該カメラの撮影レンズに対向した前端部に撮影光を撮影レンズに入射させる窓部が形成されたカメラハウジングにおいて、
前記撮影レンズの前面側には、該撮影レンズの焦点距離を変更するコンバージョンレンズが設けられ、
前記カメラハウジングの前記窓部には、前記コンバージョンレンズの撮影画角に対応させて不要な撮影光を遮光するマスク部材が設けられていることを特徴とするカメラハウジング。
【請求項２】
前記マスク部材は、必要な撮影光を前記撮影レンズに入射させるための開口部の大きさが、前記コンバージョンレンズの撮影画角に対応させて変更可能に構成されていることを特徴とする請求項１に記載のカメラハウジング。
【発明の詳細な説明】
【技術分野】
【０００１】
本発明はテレビカメラを収納するカメラハウジングに係り、特にテレコンバータ、ワイドコンバータ等のコンバージョンレンズが使用可能なカメラハウジングに関する。
【背景技術】
【０００２】
屋外で使用されるテレビカメラは、特許文献１に開示されたカメラハウジングに収納されて保護されており、カメラハウジングの前面に設けられた窓ガラスを介して撮影を行う。また、このようなカメラハウジングは、通常、リモコン式の雲台装置に搭載されている。この雲台装置をオペレータが遠隔操作することによって、カメラハウジングがパン方向、チルト方向に移動され、撮影位置が変更される。
【０００３】
一方、焦点距離の短い撮影レンズを備えたカメラにおいて、その撮影レンズを交換することなく、焦点距離をテレ側に拡大して撮影したり、ワイド側に拡大して撮影したりする際に、焦点距離をテレ側に拡大するテレコンバータ、又は焦点距離をワイド側に拡大するワイドコンバータを撮影レンズの前面側に装着して使用する一例が特許文献２等に開示されている。
【特許文献１】特開２００５−１２８３７５号公報
【特許文献２】特開２００４−２９５００４号公報
【発明の開示】
【発明が解決しようとする課題】
【０００４】
ところで、特許文献１に開示されたカメラハウジングは、収納される撮影レンズがカメラハウジングと対をなしており、すなわち、テレ側を主として撮影するカメラハウジングには、テレ側のみ網羅する焦点距離を有する撮影レンズが収納され、同様に、ワイド側を主として撮影するカメラハウジングには、ワイド側のみ網羅する焦点距離を有する撮影レンズが収納されて使用される。これは、焦点距離の短い小型で廉価な撮影レンズを備えたカメラハウジングを提供するという理由からである。
【０００５】
このようなカメラハウジングにおいて、どうしてもワイド側に焦点距離を拡大して撮影したい、また、テレ側に焦点距離を拡大して撮影したいという場合には、特許文献２に開示されたワイドコンバータ、テレコンバータをその撮影レンズの前面側に装着することが考えられる。
【０００６】
しかしながら、従来のカメラハウジングは、ワイドコンバータやテレコンバータを使用可能な構造にはそもそも構成されていない。また、ワイドコンバータ、テレコンバータをカメラハウジングの撮影レンズに装着したとしても、コンバータに応じてレンズの撮影画角が異なり、特にテレコンバータを装着した場合には、撮影範囲外の有害な光線が撮影レンズに入り込み、これがゴーストの発生原因になって画質が低下するという問題があった。
【０００７】
本発明はこのような事情に鑑みてなされたもので、テレコンバータ、ワイドコンバータ等のコンバージョンレンズを、画質を低下させることなく良好に使用することができるカメラハウジングを提供することを目的とする。
【課題を解決するための手段】
【０００８】
請求項１に記載の発明は、前記目的を達成するために、カメラが収納されるとともに、該カメラの撮影レンズに対向した前端部に撮影光を撮影レンズに入射させる窓部が形成されたカメラハウジングにおいて、前記撮影レンズの前面側には、該撮影レンズの焦点距離を変更するコンバージョンレンズが設けられ、前記カメラハウジングの前記窓部には、前記コンバージョンレンズの撮影画角に対応させて不要な撮影光を遮光するマスク部材が設けられていることを特徴とする。
【０００９】
請求項１に記載の発明によれば、カメラハウジングに収納された撮影レンズの前面側にテレコンバータ、又はワイドコンバータ等のコンバージョンレンズを装着した場合には、そのコンバージョンレンズの撮影画角に対応させて不要な撮影光を遮光するマスク部材をカメラハウジングの窓に設ける。すなわち、テレコンバータを撮影レンズに装着した場合には、不要な撮影光がマスク部材によって遮光されるので撮影レンズに入射せず、また、ワイドコンバータを撮影レンズに装着した場合には、必要な撮影光がマスク部材にケラレることなく撮影レンズに入射する。これにより、焦点距離の短い小型で廉価な撮影レンズを備えたカメラハウジングであっても、テレコンバータ、ワイドコンバータ等のコンバージョンレンズを、画質を低下させることなく良好に使用することができる。
【００１０】
請求項２に記載の発明は、請求項１において、前記マスク部材は、必要な撮影光を前記撮影レンズに入射させるための開口部の大きさが、前記コンバージョンレンズの撮影画角に対応させて変更可能に構成されていることを特徴とする。
【００１１】
コンバージョンレンズの種類に応じたマスク部材を複数揃えておくのではなく、請求項２に記載の発明の如く、開口部の大きさが変更可能な一つのマスク部材をカメラハウジングの窓部に予め取り付けておき、撮影レンズに装着されるコンバージョンレンズの撮影画角に対応させて、マスク部材の開口部の大きさを変更することが好ましい。
【００１２】
すなわち、撮影レンズにテレコンバータが装着されると、マスク部材の開口部の大きさを、そのテレコンバータの撮影画角に対応させて小さくし、不要な撮影光が撮影レンズに入射するのを防止する。また、撮影レンズにワイドコンバータが装着されると、マスク部材の開口部の大きさを、そのワイドコンバータの撮影画角に対応させて大きくし、必要な撮影光がマスク部材にケラレることを防止する。この観点から、カメラハウジングの窓の大きさは、ワイドコンバータの撮影画角よりも大きく形成されている。
【発明の効果】
【００１３】
本発明に係るカメラハウジングによれば、カメラハウジングに収納された撮影レンズの前面側にテレコンバータ、又はワイドコンバータ等のコンバージョンレンズを装着した場合には、そのコンバージョンレンズの撮影画角に対応させて不要な撮影光を遮光するマスク部材をカメラハウジングの窓に設けたので、テレコンバータ、ワイドコンバータ等のコンバージョンレンズを、画質を低下させることなく良好に使用することができる。
【発明を実施するための最良の形態】
【００１４】
以下添付図面に従って、本発明に係るカメラハウジングの好ましい実施の形態について説明する。
【００１５】
図１は、本発明の実施の形態に係るカメラハウジング１０が雲台装置１２に搭載された外観斜視図である。このカメラハウジング１０は、長尺の角筒形状に形成され、その側面が、雲台装置１２の本体１４から側方に延設されたチルト軸（不図示）に片持ち支持されている。このチルト軸は、本体１４に内蔵されたチルトモータ（不図示）によって回転駆動され、これによってカメラハウジング１０がチルト方向に動作される。また、本体１４は、不図示の据付台上に立設されたパン軸１６に支持される。このパン軸１６を中心軸として本体１４が内蔵のパンモータによって回転駆動されることにより、カメラハウジング１０がパン方向に動作される。
【００１６】
雲台装置１２は、専用回線又は公衆回線等の通信回線１７を介して雲台コントローラ１８に接続されている。この雲台コントローラ１８をオペレータが遠隔操作することによって、前記チルトモータ、パンモータが駆動され、カメラハウジング１０がパン・チルト動作することにより撮影位置が変更される。
【００１７】
カメラハウジング１０の前端部には、前面板２０が取り付けられており、この前面板２０の中央部は矩形状に開口され、この開口に透明の窓ガラス（窓部）２２が嵌め込まれている。また、前面板２０には、窓ガラス２２の表面に付着した水滴等を除去するブレード２４を備えたワイパ装置２６が設けられている。このワイパ装置２６のＯＮ／ＯＦＦも雲台コントローラ１８によって遠隔操作される。
【００１８】
図２〜図４は、カメラハウジング１０の内部構造を模式的に示した断面図であり、図２は、撮影レンズ２８を備えたカメラ３０（この撮影レンズ２８とカメラ３０とによってテレビカメラを構成している）とバランス調整用の所定質量を有するバランサ３２とが収納されたカメラハウジング１０が示され、図３は、撮影レンズ２８の前面側にテレコンバータ３４が装着されたカメラハウジング１０が示され、図４は、撮影レンズ２８の前面側にワイドコンバータ３６が装着されたカメラハウジング１０がそれぞれ示されている。また、これらの図において、窓ガラス２２の内側にはマスク部材３８が設けられている。
【００１９】
図２〜図４に示すように、カメラ３０とバランサ３２とは、カメラハウジング１０の底部に沿って敷設されたテーブル４０に載置されるとともに、テーブル４０に形成されたスリット４２に沿って摺動自在に載置されている。スリット４２は、カメラ３０の撮影光軸Ｐと平行に形成されている。したがって、カメラ３０は、図２の如く撮影レンズ２８を伴って、また、図３の如く撮影レンズ２８とテレコンバータ３４を伴って、更に、図４の如く撮影レンズ２８とワイドコンバータ３６を伴って撮影光軸Ｐ方向に前後移動される。また、バランサ３２は、カメラ３０と独立して撮影光軸Ｐ方向に前後移動される。そして、カメラ３０は、スリット４２に挿通されたボルト４４によってテーブル４０の所定の位置に固定され、バランサ３２は、チルト軸の軸心Ａを中心とする反時計回り方向の回転モーメントを、自身の質量による時計回り方向の回転モーメントによって相殺する位置に、スリット４２に挿通されたボルト４６によってテーブル４０に固定される。
【００２０】
すなわち、図２においては、撮影レンズ２８とカメラ３０とによる質量によってチルト軸の軸心Ａを中心に反時計回り方向の回転モーメントが発生し、この回転モーメントを相殺する位置Ｂにバランサ３２が固定される。同様に、図３においては、撮影レンズ２８とカメラ３０とテレコンバータ３４とによる質量によってチルト軸の軸心Ａを中心に反時計回り方向の回転モーメントが発生し、この回転モーメントを相殺する位置Ｃにバランサ３２が固定される。また同様に、図４においては、撮影レンズ２８とカメラ３０とワイドコンバータ３６とによる質量によってチルト軸の軸心Ａを中心に反時計回り方向の回転モーメントが発生し、この回転モーメントを相殺する位置Ｄにバランサ３２が固定される。このような位置にバランサ３２を固定することによって、カメラハウジング１０をチルト動作する際に、チルトモータにかかる負荷を最小限に抑えることができ、これによって、小容量のチルトモータを適用でき消費電力を節減できる。
【００２１】
したがって、実施の形態のカメラハウジング１０によれば、テレコンバータ３４、ワイドコンバータ３６を撮影レンズ２８に装着しても、バランサ３２によってチルト軸の軸心Ａを中心とする質量バランスを取ることができるので、チルト動作を円滑に行うことができる。
【００２２】
なお、バランサ３２の固定位置は、回転モーメントによる質量バランスを確認しながら作業者が手作業にて実施するが、バランサ３２の水平方向送り装置を設けて電動で実施するようにしてもよい。また、バランサ３２の摺動機構はスリット４２に限定されるものではなく、テーブル４０に多数の孔を光軸Ｐ方向に開設し、これらの孔を利用してボルト等により所定の位置に固定するようにしてもよい。
【００２３】
図５〜図７は、マスク部材３８の開口部３９、３９Ａ、３９Ｂの大きさをそれぞれ変更したときの状態が示されている。すなわち、図５に示したマスク部材３８の開口部３９は、撮影レンズ２８のみ使用する図２の通常使用形態に対応した大きさである。要するに開口部３９は、撮影レンズ２８の撮影画角に対応させて、撮影レンズ２８に有害な光を入射させず、かつ、必要な撮影光がケラレない大きさに設定されている。また、図６に示したマスク部材３８の開口部３９Ａは、撮影レンズ２８にテレコンバータ３４を装着して使用する図３のテレ使用形態に対応した大きさであり、テレコンバータ３４の画角に対応させて、撮影レンズ２８に有害な光を入射させず、かつ、必要な撮影光がケラレない大きさに設定されている。更に、図７に示したマスク部材３８の開口部３９Ｂは、撮影レンズ２８にワイドコンバータ３６を装着して使用する図４のワイド使用形態に対応した大きさであり、ワイドコンバータ３６の画角に対応させて、撮影レンズ２８に有害な光を入射させず、必要な撮影光がケラレない大きさに設定されている。
【００２４】
これにより、実施の形態のカメラハウジング１０によれば、マスク部材３８を設けることによってテレコンバータ３４、ワイドコンバータ３６等のコンバージョンレンズを、画質を低下させることなく良好に使用することができる。
【００２５】
次に、マスク部材３８の構造について説明する。
【００２６】
このマスク部材３８は、Ｌ字形状の一対のマスク板５０、５２から構成されている。マスク板５０、５２は上下に対向して組み合わされ、これらのマスク板５０、５２が図５〜図７において右斜め下方向、及び左斜め上方向に４５度の角度をもって互いに近づく方向、又は遠ざかる方向に移動されることにより、開口部３９、３９Ａ、３９Ｂの大きさが変更される。
【００２７】
上記マスク板５０、５２の移動をガイドするため、マスク板５０の三隅には前記４５度の角度をもって長孔５０ａ、５０ｂ、５０ｃが形成され、同様にマスク板５２の三角にも前記４５度の角度をもって長孔５２ａ、５２ｂ、５２ｃが形成されている。そして、長孔５０ａと長孔５２ａとが重ねられ、長孔５０ｃと長孔５２ｃとが重ねられ、これらの重ねられた長孔にネジ５４ａ、５４ｃが挿入されるとともに、長孔５０ｂにネジ５４ｂが挿入され、長孔５２ｂにネジ５４ｄが挿入されている。これらのネジ５４ａ〜５４ｄは、図８に示すように、カメラハウジング１０の前面板２０の裏面側に窓ガラス２２の四隅を囲むように植設されている。
【００２８】
したがって、図２の撮影レンズ２８のみ使用した通常使用形態から、撮影レンズ２８にテレコンバータ３４を装着した図３のテレ使用形態に変更すると、マスク部材３８の開口部を図５の開口部３９から図６の開口部３９Ａに小さくする必要があるため、ネジ５４ａ〜５４ｄをガイドとしてマスク板５０、５２を４５度方向に互いに近づく方向に移動させ、開口部３９を開口部３９Ａに変更する。この後、ネジ５４ａ〜５４ｄを前面板２０に締結し、ネジ５４ａ〜５４ｄのヘッドによってマスク板５０、５２を前面板２０に押圧し固定する。これにより、カメラハウジング１０のテレ使用形態時に、マスク板５０、５２がずれて開口部３９Ａの大きさが変わることはない。
【００２９】
また、図２の撮影レンズ２８のみ使用した通常使用形態から、撮影レンズ２８にワイドコンバータ３６を装着した図４のワイド使用形態に変更すると、マスク部材３８の開口部を図５の開口部３９から図７の開口部３９Ｂに大きくする必要があるため、ネジ５４ａ〜５４ｄをガイドとしてマスク板５０、５２を４５度方向に互いに離れる方向に移動させ、開口部３９を開口部３９Ｂに変更する。この後、ネジ５４ａ〜５４ｄを前面板２０に締結し、ネジ５４ａ〜５４ｄのヘッドによってマスク板５０、５２を前面板２０に押圧し固定する。これにより、カメラハウジング１０のワイド使用形態時に、マスク板５０、５２がずれて開口部３９Ｂの大きさが変わることはない。したがって、上記構成のマスク部材３８によれば、開口部の大きさを開口部３９、３９Ａ、３９Ｂに容易に変更することができる。
【００３０】
なお、カメラハウジング１０の窓ガラス２２の大きさは、マスク部材３８の開口部３９Ｂをカバーできるように、開口部３９Ｂよりも大きめに形成されている。また、図２ではマスク部材３８と撮影レンズ２８とを離間して示し、図３ではテレコンバータ３４とマスク部材３８とを離間して示し、図４ではワイドコンバータ３６とマスク部材３８とを離間して示したが、これらを離間させず例えば図８に示したように接近、又は接触させて設けることが、有害光の入射を防止する観点から好ましい。更に、実施の形態ではテレコンバータ３４、ワイドコンバータ３６を撮影レンズ２８に装着する形態を説明したが、画面のアスペクト比を例えば、１６：９から４：３に切り替えたときに変化する画像サイズを本来のサイズに変換するためのレシオコンバータ、また、ワイド端のみで使用でき、ワイド端をより広角にするワイドアタッチメント、同じくワイド端のみで使用でき、ワイド端をより広角にするとともに魚眼効果を与えるフィッシュアイアタッチメントを撮影レンズ２８の前面側に装着した際も、画角を調整するためのマスク部材３８を使用することができる。
【図面の簡単な説明】
【００３１】
【図１】実施の形態に係るカメラハウジングが雲台装置に搭載された外観斜視図
【図２】図１に示したカメラハウジングの内部構造を示した模式図
【図３】撮影レンズの前面側にテレコンバータが装着されたカメラハウジングの内部構造図
【図４】撮影レンズの前面側にワイドコンバータが装着されたカメラハウジングの内部構造図
【図５】撮影レンズのみに対応したマスク部材の開口部の大きさを示した説明図
【図６】撮影レンズにテレコンバータを装着した際のマスク部材の開口部の大きさを示した説明図
【図７】撮影レンズにワイドコンバータを装着した際のマスク部材の開口部の大きさを示した説明図
【図８】カメラハウジングを含むマスク部材の縦断面図
【符号の説明】
【００３２】
１０…カメラハウジング、１２…雲台装置、１４…本体、１６…パン軸、１８…雲台コントローラ、２２…窓ガラス、２８…撮影レンズ、３０…カメラ、３２…バランサ、３４…テレコンバータ、３６…ワイドコンバータ、３８…マスク部材
【図１】
2009036973.tif 000003
【図２】
2009036973.tif 000004
【図３】
2009036973.tif 000005
【図４】
2009036973.tif 000006
【図５】
2009036973.tif 000007
【図６】
2009036973.tif 000008
【図７】
2009036973.tif 000009
【図８】
2009036973.tif 000010